(57)【要約】【課題】  携帯端末を保持したまま他の作業を行うことができるとともに、携帯端末を安定的に保持することができる端末保持具の提供。【解決手段】  携帯端末を保持するための端末保持具は、固定部２と、保持部３と、を有している。固定部２は、携帯端末又は携帯端末を覆う端末収納ケースに固定される固定面を有している。保持部３は、両端が固定部２に接続され、固定部２との間に指が挿入される指挿入空間３ａが規定され、指挿入空間３ａに指を挿入することにより携帯端末を保持する。指挿入空間３ａは固定部２の固定面に直交する方向から見て固定部２とは重複していない。【選択図】図１
2020072398.tif 000002
【特許請求の範囲】
【請求項１】
携帯端末又は前記携帯端末を覆う端末収納ケースを保持するための端末保持具であって、
前記携帯端末又は前記端末収納ケースに固定される固定面を有する固定部と、
前記固定部から延出方向に延出し、柔軟性を有する素材で構成され、前記携帯端末又は前記端末収納ケースを保持したときに指の間に挟持される被挟持部と、
前記被挟持部の前記延出方向の端部に設けられ、前記延出方向に交差し前記被挟持部を挟持したときに前記指が当接する保持面を有する保持部と、を有し、
前記保持面は、前記延出方向から見て少なくとも一部が前記固定部と重複する第１保持領域と、前記延出方向から見て前記固定部と重複しない第２保持領域と、を有し、
前記第１保持領域は、前記指が第１方向に延びた状態で前記被挟持部を挟持したときに前記指と当接し、
前記第２保持領域は、前記指が前記第１方向と交差する第２方向に延びた状態で前記被挟持部を挟持したときに前記指と当接し、
前記被挟持部は、前記延出方向から見て、前記第１保持領域の間に位置するとともに前記第２保持領域の間に位置し、
前記被挟持部及び前記保持部は、前記固定面に直交する方向から見て、前記固定部とは重複していないことを特徴とする端末保持具。
【請求項２】
前記被挟持部には、薬指又は小指が挿入される指挿入空間が規定され、
前記保持部は、前記被挟持部に対して着脱可能に設けられていることを特徴とする請求項１に記載の端末保持具。
【請求項３】
前記被挟持部はループ形状をなし、一端と他端とが前記固定部に接続されることによって前記指挿入空間が規定され、
前記一端と前記他端とは、前記固定面に直交する方向からみてずれていることを特徴とする請求項２に記載の端末保持具。
【請求項４】
前記被挟持部は、前記固定面と同一平面上に位置し、
前記保持面は、前記延出方向と直交する平面であって、
前記第１方向は、前記固定面に直交する方向であって、
前記第２方向は、前記第１方向及び前記延出方向に直交する方向であることを特徴とする請求項１から３のいずれか１項に記載の端末保持具。
【請求項５】
携帯端末を保護するための端末収納ケースであって、
本体部と、
前記本体部から延出方向に延出し、前記本体部を保持した際に指の間に挟持される被挟持部と、
前記被挟持部の端部に設けられ、前記延出方向に交差し前記被挟持部を挟持したときに前記指が当接する保持面を有する保持部と、を有し、
前記保持面は、前記延出方向から見て前記本体部と重複する第１保持領域と、前記延出方向から見て前記本体部と重複しない第２保持領域と、を有し、
前記第１保持領域は、前記指が第１方向に延びた状態で前記被挟持部を挟持したときに前記指と当接し、
前記第２保持領域は、前記指が前記第１方向とは異なる第２方向に延びた状態で前記被挟持部を挟持したときに前記指と当接し、
前記被挟持部は、前記延出方向から見て、前記第１保持領域の間に位置するとともに前記第２保持領域の間に位置し、
前記被挟持部及び前記保持部は、前記携帯端末の表示部に直交する方向から見て、前記本体部とは重複していないことを特徴とする端末収納ケース。
【請求項６】
前記被挟持部は、紐形状であって、
前記本体部は、前記携帯端末を充電するための充電器が挿通される貫通孔が形成され、
前記被挟持部を前記貫通孔に挿通させてループを形成し、前記ループに前記保持部及び前記被挟持部を通すことにより、前記被挟持部を前記本体部に着脱可能に固定することを特徴とする請求項５に記載の端末収納ケース。
【発明の詳細な説明】
【技術分野】
【０００１】
本発明は端末保持具及び端末収納ケースに関し、特に携帯端末を保持する端末保持具及び携帯端末を収納する端末収納ケースに関する。
【背景技術】
【０００２】
従来より、ユーザが指を挿入するための２つのリングが設けられた携帯端末装置用保持具が知られている（例えば、特許文献１）。携帯端末装置用保持具は、携帯端末の背面中央付近に固定され、指用保持部に指を挿入して携帯端末を保持するとともに、指用保持部を支えとして携帯端末を斜めに立てることができる。
【０００３】
他の携帯情報機器用ケースは、必要なときにスタンドとして使用することができる（例えば、特許文献２）。携帯情報機器用ケースは、背面にリング状の支脚と、支脚が収納可能な凹部と、を有している。支脚及び凹部は、携帯情報機器用ケースの背面の中央部分に設けられていて、支脚を凹部から露出させて地面と当接させることにより携帯情報機器用ケースを地面の上に斜めに載置することができる。
【先行技術文献】
【特許文献】
【０００４】
【特許文献１】特開２０１７−６９７９１号
【特許文献２】特開２０１０−２６８２３７号公報
【発明の概要】
【発明が解決しようとする課題】
【０００５】
特許文献１に記載の携帯端末保持具及び特許文献２に記載の携帯情報機器用ケースでは、いずれも指を挿入することによって携帯端末保持具及び携帯情報機器用ケースを保持していたため、指を貫通孔に入れる際に引っ掛かる、又は指を貫通孔から抜く際に引っ掛かるなどの問題があった。さらに、未使用状態では貫通孔が形成されている保持部が基体と平行になっているため、使用時に保持部を基体から起こす必要があり使用の際に手間が掛かっていた。
【０００６】
また、携帯端末装置保持具は、携帯端末の表示面と直交する方向から見て指支持部と基体とが重複しているため、携帯端末の周縁に取り付けることができなかった。つまり、携帯端末の周縁に携帯端末装置保持具を取り付けると基体が携帯端末からはみ出てしまった。これにより、携帯端末の端部に指支持部を配置することができないため、携帯端末を保持する自由度に欠けていた。
【０００７】
また、携帯端末装置保持具及び携帯情報機器用ケースでは、指を通すリング部が背面の中央付近に設けられているため、中指又は人差し指をリング部に通すことにより当該ケースを保持していた。中指又は人差し指でケースを保持すると、他の作業を行うために携帯情報端末ケースから手を離したとしても中指又は人差し指がリング部に挿入されているため、掌の上に携帯端末が存在している状態であった。これにより、携帯情報端末ケースが邪魔になって手を使う他の作業、例えば、鞄の中から物を取出す作業などがやり難かった。
【０００８】
さらに、携帯端末の背面中央付近にリング部が設けられており、携帯端末の重心位置近傍で携帯端末を支持することとなるため、掌の上での安定性に欠けていた。つまり、携帯端末を略水平に把持していた場合には、携帯端末の重心近傍で支えているため携帯情報端末を操作した際に掌の上でぐらつくことがあった。
【０００９】
そこで、本発明は、携帯端末を保持したまま他の作業を行うことができるとともに、携帯端末を簡易に保持することができる端末保持具及び端末収納ケースを提供することを目的とする。
【課題を解決するための手段】
【００１０】
上記課題を解決するために第１の発明は、携帯端末を保持するための端末保持具であって、前記携帯端末又は前記携帯端末を覆う端末収納ケースに固定される固定面を有する固定部と、前記固定部から延出方向に延出し、柔軟性を有する素材で構成され、前記携帯端末又は前記端末収納ケースを保持したときに指の間に挟持される被挟持部と、前記被挟持部の前記延出方向の端部に設けられ、前記延出方向に交差し前記被挟持部を挟持したときに前記指が当接する保持面を有する保持部と、を有し、前記保持面は、前記延出方向から見て少なくとも一部が前記固定部と重複する第１保持領域と、前記延出方向から見て前記固定部と重複しない第２保持領域と、を有し、前記第１保持領域は、前記指が第１方向に延びた状態で前記被挟持部を挟持したときに前記指と当接し、前記第２保持領域は、前記指が前記第１方向と交差する第２方向に延びた状態で前記被挟持部を挟持したときに前記指と当接し、前記被挟持部は、前記延出方向から見て、前記第１保持領域の間に位置するとともに前記第２保持領域の間に位置し、前記被挟持部及び前記保持部は、前記固定面に直交する方向から見て、前記固定部とは重複していないことを特徴とする端末保持具を提供している。
【００１１】
第２の発明の端末保持具は、第１の発明の端末保持具であって、前記被挟持部には、薬指又は小指が挿入される指挿入空間が規定され、前記保持部は、前記被挟持部に対して着脱可能に設けられていることを特徴としている。
【００１２】
第３の発明では、第２に発明の端末保持具であって、前記被挟持部は、一端と他端とが前記固定部に接続されることによって前記指挿入空間が規定され、前記一端と前記他端とは、前記固定面に直交する方向からみてずれていることを特徴としている。
【００１３】
第４の発明では、第１の発明から第３の発明の端末保持具であって、前記被挟持部は、前記固定面と同一平面上に位置し、前記保持面は、前記延出方向と直交する平面であって、前記第１方向は、前記固定面に直交する方向であって、前記第２方向は、前記第１方向及び前記延出方向に直交する方向であることを特徴としている。
【００１４】
第５の発明では、携帯端末を保護するための端末収納ケースであって、本体部と、前記本体部から延出方向に延出し、前記本体部を保持した際に指の間に挟持される被挟持部と、前記被挟持部の端部に設けられ、前記延出方向に交差し前記被挟持部を挟持したときに前記指が当接する保持面を有する保持部と、を有し、前記保持面は、前記延出方向から見てが前記本体部と重複する第１保持領域と、前記延出方向から見て前記本体部と重複しない第２保持領域と、を有し、前記第１保持領域は、前記指が第１方向に延びた状態で前記被挟持部を挟持したときに前記指と当接し、前記第２保持領域は、前記指が前記第１方向とは異なる第２方向に延びた状態で前記被挟持部を挟持したときに前記指と当接し、前記被挟持部は、前記延出方向から見て、前記第１保持領域の間に位置するとともに前記第２保持領域の間に位置し、前記被挟持部及び前記保持部は、前記携帯端末の表示部に直交する方向から見て、前記本体部とは重複していないことを特徴とする端末収納ケースを提供している。
【００１５】
第６の発明は、第５の発明の端末収納ケースであって、前記被挟持部は、紐形状であって、前記本体部は、前記携帯端末を充電するための充電器が挿通される貫通孔が形成され、前記被挟持部を前記貫通孔に挿通させてループを形成し、前記ループに前記保持部及び前記被挟持部を通すことにより、前記被挟持部を前記本体部に着脱可能に固定することを特徴としている。
【発明の効果】
【００１６】
第１の発明によると、指が第１方向に延びた状態で被挟持部を挟持したときには第１保持領域が指と当接し、指が第２方向に延びた状態で被挟持部を挟持したときには第２保持領域が指と当接するため、多様な方法で携帯端末又は端末収納ケースを保持することができる。また、被挟持部を挟持したときに指と保持部とが当接するため、保持部によって指が被挟持部から抜け落ちることを防止することができる。これにより、携帯端末又は端末収納ケースを落下させることなく保持することができる。さらに、被挟持部が柔軟性を有しているため、様々な方向から被挟持部を挟持しても、指に負担がかかることがなく、携帯端末又は端末収納ケースを快適に保持することができる。また、被挟持部及び保持部は固定面に直交する方向から見て固定部とは重複していないため、固定部が障害とならず携帯端末又は端末収納ケースの周縁端部に被挟持部及び保持部を配置することができる。これにより、従来の携帯端末装置保持具と比較して任意の位置に端末保持具を配置することができ、保持の自由度が高くなる。つまり、端末保持具を携帯端末又は端末収納ケースの周縁端部に配置することができ、例えば、被挟持部及び保持部を固定面に直交する方向から見て携帯端末とは重複しない位置であって、携帯端末から突出するように配置することができる。これにより、従来の携帯端末装置保持具と比較して保持の自由度が高くなる。さらに、被挟持部は第１保持領域及び第２保持領域の間に位置しているため、被挟持部を指で挟持することにより当該挟持した２本の指が保持面に当接することとなる。これにより、携帯端末又は端末収納ケースを落下させることなく保持することができる。
【００１７】
第２の発明によると、保持部が被挟持部に対して着脱可能に設けられているため、ユーザは多様な保持方法で携帯端末又は端末収納ケースを保持することができる。また、被保持部には薬指又は小指が挿入される指挿入空間が規定されているため、指を挿入することによって携帯端末又は端末収納ケースを保持することができる。さらに、指挿入空間に挿入される指は薬指又は小指であるため、ユーザは薬指又は小指のみを指挿入空間に挿入することにより携帯端末又は端末収納ケースを保持することができる。携帯端末を保持した状態のまま他の作業を行いたい場合には、携帯端末の把持を解除して保持部を中心に携帯端末を回転させることで掌から携帯端末を離間させつつ保持することができる。これにより、掌に携帯端末が存在しなくなるため、薬指又は小指で携帯端末を保持しつつ自由に他の作業、例えば、鞄の中から必要な物を取出すなどの作業を行うことができる。また、携帯端末を保持するのは薬指又は小指のみを使用しているため、他の指は比較的自由に使用することができる。これにより、携帯端末に設けられたカメラで自撮りをする際に、携帯端末を安定的に保持するとともに小指以外の他の指を使用してブレることなく撮影することができる。さらに、指挿入空間に挿入される指は薬指又は小指であるため、携帯端末を斜めにした状態で携帯端末の下部を薬指又は小指で支えつつ他の指で本体部を支えることとなり、携帯端末が自重によって掌及び他の指で安定的に支持される。従来の携帯情報端末ケースでは、略重心位置に指を通すためのリング部が設けられていたためリング部を中心にぐらつくことがあったが、本件発明によると、指挿入空間に薬指又は小指を通すことにより、携帯端末の下部を薬指又は小指で支持しつつ携帯端末の自重を他の指で受け止めるようにして携帯端末を保持することで、安定的に保持することができる。
【００１８】
人の手の指は、親指及び人差し指で操作を行うとお腹側に意識が向くこととなり、薬指及び小指によって操作を行うと背中側に意識が向くこととなる。中指は、中心的な指であり、中指での操作はお腹及び背中の両方に意識が向く。これは発明者が発見した理論であり、親指及び人差し指の筋肉はお腹側の筋肉と連動し、薬指及び小指の筋肉は背中側の筋肉と連動し、中指の筋肉はお腹側の筋肉及び背中側の筋肉と連動していることが原因と考えられる。従来の携帯情報端末ケースを使用すると、人差し指又は中指で当該ケースを保持するため、お腹側に意識が向くことによって背中への意識が薄くなり、背筋が曲がり意識も内向きの思想に陥りがちである。本件発明では、薬指又は小指によって携帯端末を保持するため、携帯端末の移動動作についても自然と小指を中心に行うこととなる。そうすると、肩から背中に意識が向くこととなり、携帯端末を移動させる際に手首のみを使用するのではなく、腕から肩及び背中を使って移動させることとなる。これによって、背中に意識が向いているため背筋が伸び良い姿勢のまま携帯端末操作を行うことができる。さらに、背筋が伸びることによって体幹に外向きの開く力が働き、内向きの思想ではなく外向きの思想が可能となる。ここで、内向きの思想とは外部からの情報を遮断して脳内で過去のことなどを振り返るなど自省的になることをいい、外向きの思想とは視線を上げることによって外部の情報を取り込み前向きに将来のことを考えることをいう。本件発明の端末保持具を使用することで外向きの思想が優位になり、ポジティブな思考となる。
【００１９】
第３の発明によると、一端と他端とが固定面に直交する方向から見てずれているため、指挿入空間を形成し易くなる。例えば、一端と他端とが固定面に直交する方向からみて完全に重複している場合には、一端又は他端のいずれか一方を把持し難いため指挿入空間を形成し難い。しかし、一端と他端とがずれていることにより、当該ずれている部分を持って一端と他端とを離間させると容易に指挿入空間を形成することができる。
【００２０】
第４の発明によると、固定面と被挟持部とは同一平面上に位置しているため、平面状の素材を切り抜くことにより固定部と被挟持部とを製造することができる。これにより、簡易に端末保持具を製造することができる。また、保持面は固定面と直交する平面であるため、指が保持面上においてあらゆる方向に指向したとしても携帯端末又は端末収納ケースを保持することができる。
【００２１】
第５の発明によると、指が第１方向に延びた状態で被挟持部を挟持したときには第１保持領域が指と当接し、指が第２方向に延びた状態で被挟持部を挟持したときには第２保持領域が指と当接するため、多様な方法で端末収納ケースを保持することができる。また、被挟持部を挟持したときに指と保持部とが当接するため、保持部によって指が被挟持部から抜け落ちることを防止することができる。これにより、端末収納ケースを落下させることなく保持することができる。さらに、被挟持部が柔軟性を有しているため、様々な方向から被挟持部を挟持しても、指に負担がかかることがなく、端末収納ケースを快適に保持することができる。さらに、被挟持部は第１保持領域及び第２保持領域の間に位置しているため、被挟持部を指で挟持することにより当該挟持した２本の指が保持面に当接することとなる。これにより、携帯端末又は端末収納ケースを落下させることなく保持することができる。
【００２２】
第６の発明によると、被挟持部が紐状であるため、簡易な構成で被挟持部及び保持部を製造することができる。
【図面の簡単な説明】
【００２３】
【図１】本発明の第１の実施の形態による端末保持具であって、図１（ａ）は端末保持具の斜視図、図１（ｂ）は端末保持具の平面図。
【図２】本発明の第１の実施の形態による端末保持具を携帯端末に固定したときの背面斜視図。
【図３】本発明の第１の実施の形態による端末保持具を固定部と指とが平行になるように保持したときの背面図。
【図４】本発明の第１の実施の形態による端末保持具を固定部と指とが直交するように保持したときの背面図。
【図５】本発明の第１の実施の形態による端末保持具の被挟持部を薬指と小指で挟持して携帯端末を保持したときの斜視図。
【図６】本発明の第１の実施の形態による端末保持具の被挟持部を薬指と小指で挟持したまま携帯端末から手を離したときの斜視図。
【図７】本発明の第２の実施の形態による端末保持具の斜視図。
【図８】本発明の第２の実施の形態による端末保持具を携帯端末に固定したときの背面斜視図。
【図９】本発明の第２の実施の形態による端末保持具の指挿入空間に小指を挿入して端末収納ケースを保持したときの斜視図。
【図１０】本発明の第２の実施の形態による端末保持具の指挿入空間に小指を挿入したまま端末収納ケースから手を離したときの斜視図。
【図１１】本発明の第３の実施の形態による端末保持具の斜視図。
【図１２】本発明の第４の実施の形態による端末収納ケースの斜視図。
【図１３】本発明の第５の実施の形態による端末保持具の斜視図。
【図１４】本発明の第５の実施の形態による端末保持具であって、図１５（ａ）は端末保持具の平面図であり、図１５（ｂ）は端末保持具の背面図。
【図１５】本発明の第６の実施の形態による端末収納ケースの後面斜視図。
【図１６】本発明の第６の実施の形態による端末収納ケースの前面斜視図。
【図１７】本発明の第６の実施の形態による端末収納ケースを携帯端末の表示部と指とが平行になるように保持した背面図。
【図１８】本発明の第６の実施の形態による端末収納ケースを携帯端末の表示部と指とが直交するように保持した背面図。
【発明を実施するための形態】
【００２４】
本発明の第１の実施の形態による端末保持具１を図１乃至図６に基づき説明する。図中に示すように、前後上下左右方向を定義する。
【００２５】
端末保持具１は、各種情報を表示する表示部１０Ａ（図５）を有する携帯端末１０に取り付けられる保持具であって、固定部２と、被挟持部３と、保持部４と、から構成される。携帯端末１０は、スマートフォンやタブレットであるが、情報を表示することができる薄型の端末であればこれに限定されない。また、端末保持具１は携帯端末１０に直接取り付けてもよく、携帯端末１０を収納する端末収納ケース１００（図１２）に取り付けてもよい。
【００２６】
固定部２及び被挟持部３は、柔軟性を有する素材から構成され、布、化学繊維、革、人工革、樹脂等の材料を任意に選択することができる。図３に示すように、固定部２の下面には携帯端末１０又は端末収納ケース１００に貼付される固定面２Ａが規定されている。固定面２Ａには、携帯端末１０または端末収納ケース１００に貼付される粘着テープが設けられている。固定部２は四隅にアールが形成された略矩形であって、被挟持部３と一体的に形成されている。固定部２と被挟持部３とは、別体であってもよい。
【００２７】
被挟持部３は、固定部２と同一平面上に位置し、固定部２の下端部の左右方向中央から下方にむけて延出し、図１（ｂ）に示すように、前後方向（紙面に直交する方向）から見て固定部２と重複しない。被挟持部３は、左右方向に幅を有する略平板形状であって、下端（先端）に保持部４が設けられている。被挟持部３と固定部２との接続部分から保持部４までの長さは、図５に示すように指１本入る程度が好ましい。当該長さは、端末保持具１の大きさに応じて任意に設定することができる。被挟持部３は、図３乃至図６に示すように、端末保持具１がユーザによって保持されたとき、薬指１４と小指１５とによって挟持される。被挟持部３が延出する下方向は、本発明の延出方向に相当する。
【００２８】
保持部４は略薄円形状であって、図３に示すように、略中心部分に被挟持部３の端部が固定されている。保持部４は、硬質な樹脂であってもよく、金属等であってもよい。保持部４は、被挟持部３の延出方向である上下方向に直交する平面である保持面４１を有している。換言すると、保持面４１は保持部４の上側の面である。図５に示すように、保持面４１は、端末保持具１がユーザによって保持されたとき、薬指１４及び小指１５が当接する。
【００２９】
保持面４１には、図３及び図４に示すように、第１保持領域４１Ａと、第２保持領域４１Ｂと、が規定されている。図３及び図４において、固定部２を保持したときの薬指１４及び小指１５の位置を一点鎖線で示す。第１保持領域４１Ａは、端末保持具１の後方から見て被挟持部３に対して左右方向の両側に位置している領域であって、図中に点線で示すように前後方向の略中央部分が固定部２と重複している。換言すると、第１保持領域４１Ａとは、図４に示すように薬指１４及び小指１５が前後方向に延びるように被挟持部３を左右方向に挟持しているとき、薬指１４及び小指１５が保持面４１と当接する領域の一部である。つまり、被挟持部３は、第１保持領域４１Ａによって左右方向から挟まれるような位置関係にある。被挟持部３は柔軟性を有しているため、薬指１４と小指１５とに挟持されることによって左右方向に圧縮されている。ここで、前後方向が本発明の第１方向に相当する。なお、第１方向は前後方向に限定されず、薬指１４及び小指１５が図４に示す状態から左右方向に傾斜した状態であっても、薬指１４及び小指１５が第１保持領域４１Ａに当接している場合には当該第１方向に含まれるものとする。
【００３０】
第２保持領域４１Ｂは、端末保持具１の後方から見て、被挟持部３に対して前後方向の両側に位置している領域であって、固定部２とは重複しない位置に規定される。換言すると、第２保持領域４１Ｂとは、図３に示すように薬指１４及び小指１５が左右方向に延びるように被挟持部３を前後方向から挟持しているとき、薬指１４及び小指１５が保持面４１と当接する領域の一部である。つまり、被挟持部３は、第２保持領域４１Ｂによって前後方向から挟まれるような位置関係にある。ここで、左右方向が本発明の第２方向に相当する。なお、第２方向は左右方向に限定されず、薬指１４及び小指１５が図３に示す状態から前後方向に傾斜した状態であっても、第２保持領域４１Ｂに当接している場合には当該第２方向に含まれるものとする。
【００３１】
端末保持具１を携帯端末１０に取り付けるときは、図２に示すように、携帯端末１０の下端部と固定部２の下端部とが略一致し、被挟持部３が携帯端末１０から延出するような位置に貼付する。端末保持具１を取り付ける位置は、これに限定されず、ユーザの所望する場所に取り付けることができる。ただし、端末保持具１は、薬指１４（図３）と小指１５と被挟持部３を挟持することが好ましく、携帯端末１０の下部、具体的には、携帯端末１０を上下方向に３分割したときに最も下に位置する領域に取り付けることが好ましい。なお、端末保持具１を携帯端末１０を保持するための端末収納ケースに取り付けてもよい。
【００３２】
次に、端末保持具１を用いた携帯端末１０の保持方法について、図５及び図６を参照して説明する。ユーザは、親指１１と、人差し指１２と、中指１３と、で携帯端末１０を把持し、薬指１４で携帯端末１０の背面を支持しつつ、薬指１４と小指１５とで被挟持部３を挟持する。このとき、ユーザは図３に示すような方法で、前後方向から薬指１４と小指１５とで被挟持部３を挟持している。図５に示すように、人差し指１２と、中指１３と、薬指１４と、で携帯端末１０の背面を支え、薬指１４と小指１５とで被挟持部３を挟持するとともに薬指１４と小指１５とが保持面４１に当接することにより、携帯端末１０が掌の上で固定される。ユーザは、親指１１で携帯端末１０の表示部１０Ａを操作する。携帯端末１０の重心Ｇは略中央から下方に向けて働くため、人差し指１２、中指１３、及び薬指１４で携帯端末１０を安定的に保持することができる。つまり、携帯端末１０は重心Ｇから離間した支点Ｓで薬指１４及び小指１５によって保持されているため、重心Ｇ近傍を複数の指で支持することで携帯端末１０の自重を利用して安定的に保持することができる。ここで、支点Ｓは端末保持具１が携帯端末１０を支持する支点であり、携帯端末１０の下端部に位置することとなる。つまり、端末保持具１を携帯端末１０の下端部に取り付け、薬指１４及び小指１５で端末保持具１を保持することによって、支点Ｓを携帯端末１０の下端部に配置させることができる。
【００３３】
ユーザは、携帯端末１０を把持したまま他の作業を行いたい場合には、携帯端末１０の背面を支持している人差し指１２及び中指１３を携帯端末１０から離すことで、図６に示すように、携帯端末１０が自重で薬指１４を中心に反時計回り方向に回転する。このとき、被挟持部３は薬指１４と小指１５とに挟持されつつ薬指１４及び小指１５は保持面４１に当接している。これにより、ユーザは携帯端末１０を手から離すことなく薬指１４及び小指１５以外の指で他の作業を行うことができる。再び携帯端末１０を操作するときは、反動を使い、又はもう一方の手で携帯端末１０を薬指１４を中心に時計回り方向に回転させて再び図５に示す状態とする。
【００３４】
このような構成によると、図４に示すように薬指１４及び小指１５が前後方向に延びた状態で被挟持部３を挟持したときには第１保持領域４１Ａが薬指１４及び小指１５と当接し、図３に示すように薬指１４及び小指１５が左右方向に延びた状態で被挟持部３を挟持したときには第２保持領域４１Ｂが薬指１４及び小指１５と当接するため、多様な方法で携帯端末１０又は端末収納ケース１００を保持することができる。また、被挟持部３を挟持したときに薬指１４及び小指１５と保持部４とが当接するため、保持部４によって薬指１４及び小指１５が被挟持部３から抜け落ちることを防止することができる。これにより、携帯端末１０又は端末収納ケース１００を落下させることなく保持することができる。さらに、被挟持部３が柔軟性を有しているため、様々な方向から被挟持部３を挟持しても、指に負担がかかることがなく、携帯端末１０又は端末収納ケース１００を快適に保持することができる。また、被挟持部３及び保持部４は固定面２Ａに直交する前後方向から見て固定部２とは重複していないため、固定部２が障害とならず携帯端末１０の周縁端部に被挟持部３及び保持部４を配置することができる。これにより、従来の携帯端末装置保持具と比較して任意の位置に端末保持具１を配置することができ、保持の自由度が高くなる。つまり、端末保持具１を携帯端末１０又は端末収納ケース１００の周縁端部に配置することができ、例えば、被挟持部３及び保持部４を固定面２Ａに直交する方向から見て携帯端末１０とは重複しない位置であって、携帯端末１０から突出するように配置することができる。これにより、従来の携帯端末装置保持具と比較して保持の自由度が高くなる。さらに、被挟持部３は第１保持領域４１Ａ及び第２保持領域４１Ｂの間に位置しているため、被挟持部３を指で挟持することにより当該挟持した２本の指が保持面４１に当接することとなる。これにより、携帯端末１０又は端末収納ケース１００を落下させることなく保持することができる。
【００３５】
このような構成によると、固定面２Ａと被挟持部３とは同一平面上に位置しているため、平面状の素材を切り抜くことにより固定部２と被挟持部３とを製造することができる。これにより、簡易に端末保持具１を製造することができる。また、保持面４１は固定面２Ａと直交する平面であるため、指が保持面４１上においてあらゆる方向に指向したとしても携帯端末１０又は端末収納ケース１００を保持することができる。
【００３６】
次に、本発明の第２の実施の形態について、図７乃至図１０を参照して説明する。端末保持具１０１は、固定部２と、被挟持部１０３と、保持部４と、から構成される。上述の実施の形態と同一の構成については、同一の符号を付し説明を省略する。
【００３７】
被挟持部１０３は、第１被挟持部１０３Ａと、第２被挟持部１０３Ｂと、から構成される。第１被挟持部１０３Ａは、上端部が固定部２の下端部の左右方向中央の後側から下方に向けて延出し、下端部は保持部４に固定されている。第２被挟持部１０３Ｂは、上端部が固定部２の下端部の左右方向中央の前側から下方に向けて延出し、下端部は第１被挟持部１０３Ａの下端部から前方に間隔を隔てて保持部４に固定されている。第１の実施の形態と同様に、被挟持部１０３は、前後方向（紙面に直交する方向）から見て固定部２と重複しない。第１被挟持部１０３Ａは、前後方向から見て第２被挟持部１０３Ｂと重複している。
【００３８】
第１被挟持部１０３Ａ及び第２被挟持部１０３Ｂは、左右方向に幅を有する略平板形状であって、下端（先端）に保持部４が設けられている。第１被挟持部１０３Ａと、第２被挟持部１０３Ｂと、保持部４と、によって、図７及び図８に斜線で示すように、左右方向に貫通し薬指１４又は小指１５が挿入される指挿入空間１０３ａが規定されている。換言すると、第１被挟持部１０３Ａと、第２被挟持部１０３Ｂと、保持部４と、によって囲まれた空間が指挿入空間１０３ａとなる。
【００３９】
端末保持具１０１を携帯端末１０に取り付けるときは、図８に示すように、携帯端末１０の下端部と固定部２の下端部とが略一致し、被挟持部１０３が携帯端末１０から延出するような位置に貼付する。端末保持具１０１を取り付ける位置は、ユーザの所望の場所に取り付けることができる。ただし、端末保持具１０１は、薬指１４又は小指１５を指挿入空間１０３ａに挿入することが好ましく、携帯端末１０の下部、具体的には、携帯端末１０を上下方向に３分割したときに最も下に位置する領域に取り付けることが好ましい。なお、端末保持具１０１は携帯端末１０を収納する端末収納ケースに取り付けてもよい。
【００４０】
次に、端末保持具１０１を用いた携帯端末１０の保持方法について説明する。端末保持具１０１は、第１の実施の形態と同様に、図５及び図６に示すように薬指１４と小指１５とで被挟持部１０３を挟持することにより携帯端末１０を保持してもよい。他の保持方法としては、図９及び図１０に示すように、ユーザは、親指１１と、人差し指１２と、中指１３と、薬指１４と、で携帯端末１０を把持し、小指１５を指挿入空間１０３ａに挿入し、親指１１で携帯端末１０の表示部１０Ａを操作する。携帯端末１０の重心Ｇは略中央から下方に向けて働くため、人差し指１２、中指１３、及び薬指１４で携帯端末１０を安定的に保持することができる。つまり、携帯端末１０は重心Ｇから離間した支点Ｓで小指１５によって保持されているため、重心Ｇ近傍を複数の指で支持することで携帯端末１０の自重を利用して安定的に保持することができる。ここで、支点Ｓは端末保持具１０１が携帯端末１０を支持する支点であり、携帯端末１０の下端部に位置することとなる。つまり、端末保持具１０１を携帯端末１０の下端部に取り付け、小指１５で端末保持具１０１を保持することによって、支点Ｓを携帯端末１０の下端部に配置させることができる。
【００４１】
ユーザは、携帯端末１０を把持したまま他の作業を行いたい場合には、携帯端末１０の背面を支持している人差し指１２、中指１３、及び薬指１４を携帯端末１０から離すことで、図１０に示すように、携帯端末１０が自重で小指１５を中心に反時計回り方向に回転する。このとき、小指１５は指挿入空間１０３ａに挿入された状態のままである。これにより、ユーザは携帯端末１０を手から離すことなく小指１５以外の指で他の作業を行うことができる。再び携帯端末１０を操作するときは、反動を使い、又はもう一方の手で携帯端末１０を小指１５を中心に時計回り方向に回転させて再び図９に示す状態とする。なお、ユーザは、薬指１４を指挿入空間１０３ａに挿入しても上記と同様の動作を行うことができる。
【００４２】
このような構成によると、被挟持部１０３には薬指１４又は小指１５が挿入される指挿入空間１０３ａが規定されているため、指を挿入することによって携帯端末１０又は端末収納ケース１００を保持することができる。さらに、指挿入空間１０３ａに挿入される指は薬指１４又は小指１５であるため、ユーザは薬指１４又は小指１５のみを指挿入空間１０３ａに挿入することにより携帯端末１０又は端末収納ケース１００を保持することができる。携帯端末１０を保持した状態のまま他の作業を行いたい場合には、携帯端末１０の把持を解除して小指１５を中心に携帯端末１０を回転させることで掌から携帯端末１０を離間させつつ保持することができる。これにより、掌に携帯端末１０が存在しなくなるため、薬指１４又は小指１５で携帯端末１０を保持しつつ自由に他の作業、例えば、鞄の中から必要な物を取出すなどの作業を行うことができる。また、携帯端末１０を保持するのは薬指１４又は小指１５のみを使用しているため、他の指は比較的自由に使用することができる。これにより、携帯端末１０に設けられたカメラで自撮りをする際に、携帯端末１０を安定的に保持するとともに小指１５以外の他の指を使用してブレることなく撮影することができる。さらに、指挿入空間１０３ａに挿入される指は薬指１４又は小指１５であるため、携帯端末１０を斜めにした状態で携帯端末１０の下部を薬指１４又は小指１５で支えつつ他の指で携帯端末１０本体を支えることとなり、携帯端末１０が自重によって掌及び他の指で安定的に支持される。従来の携帯情報端末ケースでは、略重心位置に指を通すためのリング部が設けられていたためリング部を中心にぐらつくことがあったが、本件発明によると、指挿入空間１０３ａに薬指１４又は小指１５を通すことにより、携帯端末１０の下部を薬指１４又は小指１５で支持しつつ携帯端末１０の自重を他の指で受け止めるようにして携帯端末１０を保持することで、安定的に保持することができる。
【００４３】
人の手の指は、親指１１及び人差し指１２で操作を行うとお腹側に意識が向くこととなり、薬指１４及び小指１５によって操作を行うと背中側に意識が向くこととなる。中指１３は、中心的な指であり、中指１３での操作はお腹及び背中の両方に意識が向く。これは発明者が発見した理論であり、親指１１及び人差し指１２の筋肉はお腹側の筋肉と連動し、薬指１４及び小指１５の筋肉は背中側の筋肉と連動し、中指１３の筋肉はお腹側の筋肉及び背中側の筋肉と連動していることが原因と考えられる。従来の携帯情報端末ケースを使用すると、人差し指１２又は中指１３で当該ケースを保持するため、お腹側に意識が向くことによって背中への意識が薄くなり、背筋が曲がり意識も内向きの思想に陥りがちである。本件発明では、薬指１４又は小指１５によって携帯端末１０を保持するため、携帯端末１０の移動動作についても自然と小指１５を中心に行うこととなる。そうすると、肩から背中に意識が向くこととなり、携帯端末１０を移動させる際に手首のみを使用するのではなく、腕から肩及び背中を使って移動させることとなる。これによって、背中に意識が向いているため背筋が伸び良い姿勢のまま携帯端末１０の操作を行うことができる。さらに、背筋が伸びることによって体幹に外向きの開く力が働き、内向きの思想ではなく外向きの思想が可能となる。ここで、内向きの思想とは外部からの情報を遮断して脳内で過去のことなどを振り返るなど自省的になることをいい、外向きの思想とは視線を上げることによって外部の情報を取り込み前向きに将来のことを考えることをいう。本件発明の端末保持具１０１を使用することで外向きの思想が優位になり、ポジティブな思考となる。
【００４４】
次に、本発明の第３の実施の形態について、図１１を参照して説明する。上述の実施の形態と同一の構成については、同一の符号を付し説明を省略する。
【００４５】
端末保持具２０１は、固定部２と、被挟持部２０３と、保持部２０４と、カバー部２０５と、から構成される。被挟持部２０３は、固定部２の下端部の左右方向中央から下方に向けて延出している。被挟持部２０３には、図１１に斜線で示すように、左右方向に貫通し薬指１４又は小指１５が挿入される指挿入空間２０３ａが規定されている。被挟持部２０３はループ状に形成され、一端及び他端が固定部２に固定されるとともに、当該ループによって囲まれた空間が指挿入空間２０３ａとなる。
【００４６】
保持部２０４は被挟持部２０３に対して着脱可能に設けられていて、２つの挿入孔２０４ａと、２つの切込２０４ｂと、が形成されている。挿入孔２０４ａは保持部２０４を上下方向に貫通する貫通孔であって、保持部２０４の略中央部に前後方向に間隔を隔てて形成されている。挿入孔２０４ａは左右方向に延び、端部に切込２０４ｂの一端が接続されている。保持部２０４には、上述の実施の形態と同様に、第１保持領域及び第２保持領域が規定されている。
【００４７】
保持部２０４を被挟持部１０３に装着するときは、保持部２０４を指挿入空間２０３ａ内に配置し、被挟持部２０３を切込２０４ｂから挿入孔２０４ａに挿入させる。保持部２０４を被挟持部２０３から取り外すときは、切込２０４ｂを介して被挟持部２０３を保持部２０４から離脱させる。
【００４８】
カバー部２０５は、保持部２０４に対して貼付され保持部２０４の下面から被挟持部２０３の一部が露出している状態を隠すことができる。カバー部２０５には、企業の広告等を表示し端末保持具２０１をノベリティとして利用してもよい。また、カバー部２０５は薄いシール状に構成されていたが、装飾のためにダイヤモンド形状の合成樹脂等であってもよい。
【００４９】
このような構成によると、保持部２０４が被挟持部１０３に対して着脱可能に設けられているため、ユーザは多様な保持方法で携帯端末１０又は端末収納ケース１００を保持することができる。
【００５０】
次に、本発明の第４の実施の形態について、図１２を参照して説明する。上述の実施の形態と同一の構成については、同一の符号を付し説明を省略する。
【００５１】
端末保持具３０１は、端末収納ケース１００に設けられた充電器を接続するための貫通孔１００ａに着脱可能に固定される。端末保持具３０１は、被挟持部３０３と、保持部４と、から構成される。被挟持部３０３は、保持部４から延出するリング状の紐であって、２本の紐の間の空間が指挿入空間となる。換言すると、端末収納ケース１００と保持部４との間の被挟持部３０３を左右方向に開くことによって指挿入空間が規定される。
【００５２】
端末保持具３０１は、端末収納ケース１００に着脱可能に設けられている。被挟持部３０３を端末収納ケース１００に装着するときは、被挟持部３０３を貫通孔１００ａに通し、被挟持部３０３の先端部分のループに被挟持部３０３及び保持部４を通すと図１２に示す状態となる。被挟持部３０３を端末収納ケース１００から取り外す場合には、被挟持部３０３の左右方向に延びている部分を引っ張ってループを形成し、当該ループに保持部４を通すことで被挟持部３０３が端末収納ケース１００から外す。
【００５３】
端末保持具３０１を保持するときは、被挟持部３０３を薬指１４と小指１５とで挟持するか、又は被挟持部３０３の間の指挿入空間に小指１５を挿通する。
【００５４】
このような構成によると、被挟持部３０３が紐状であるため、簡易な構成で被挟持部３０３及び保持部４を製造することができる。
【００５５】
次に、本発明の第５の実施の形態について、図１３及び図１４を参照して説明する。上述の実施の形態と同一の構成については、同一の符号を付し説明を省略する。
【００５６】
端末保持具４０１は、固定部２と、被挟持部４０３と、保持部２０４と、カバー部２０５と、から構成される。被挟持部４０３は、固定部２の下端部の左右方向中央から下方に向けて延出している。被挟持部４０３は、左右方向に幅を有する略平板形状であって、下端（先端）に保持部２０４が着脱可能に設けられている。被挟持部４０３には、図１３に斜線で示すように、左右方向に貫通し指が挿入される指挿入空間４０３ａが規定されている。被挟持部４０３はループ状に形成され、一端が固定部２に固定され、他端は当該一端が固定されている位置から左右方向にずれた位置に固定される。換言すると、図１４（ａ）及び図１４（ｂ）に示すように、被挟持部４０３は左右方向にずれるように略Ｖ字形状を成している。
【００５７】
このような構成によると、被挟持部４０３の一端と他端とが固定面２Ａに直交する方向から見てずれているため、指挿入空間４０３ａを形成し易くなる。例えば、第３の実施の形態のように、一端と他端とが固定面２Ａに直交する方向からみて完全に重複している場合には、一端又は他端のいずれか一方を把持し難いため指挿入空間２０３ａを形成し難い。しかし、一端と他端とがずれていることにより、当該ずれている部分を持って一端と他端とを離間させると容易に指挿入空間４０３ａを形成することができる。
【００５８】
次に、本発明の第６の実施の形態について、図１５乃至図１８を参照して説明する。上述の実施の形態と同一の構成については、同一の符号を付し説明を省略する。
【００５９】
端末収納ケース５００は、本体部５０１と、被挟持部５０３と、保持部４と、から構成される。本体部５０１には、携帯端末１０を収納する端末収納空間５００ａが規定され、充電端子が挿入される端子孔５００ｂが形成されている。図１６に、端末収納空間５００ａに携帯端末１０が収納されたときの表示部１０Ａを点線で示す。被挟持部５０３は、本体部５０１の下端部の左右方向中央から下方に延びるように設けられている。被挟持部５０３の上端部は端末収納ケース１００に固定されていて、下端部に保持部４が固定されている。
【００６０】
被挟持部５０３は、左右方向に幅を有する略平板形状であって、下端（先端）に保持部４が設けられている。被挟持部３と端末収納ケース１００との接続部分から保持部４までの長さは、指１本入る程度が好ましい。なお、当該長さは端末収納ケース５００の大きさに応じて任意に設定することができる。被挟持部５０３は、端末収納ケース５００がユーザによって保持されたとき、薬指１４と小指１５とによって挟持される。
【００６１】
保持部４は、被挟持部５０３の延出方向である上下方向に直交する平面である保持面４１を有している。換言すると、保持面４１は保持部４の上側の面である。図１７及び図１８に示すように、保持面４１は、端末保持具１がユーザによって保持されたとき、薬指１４及び小指１５が当接する。
【００６２】
図１７及び図１８に示すように、保持部４には、上述の実施の形態と同様に第１保持領域４１Ａ及び第２保持領域４１Ｂが規定されている。第１保持領域４１Ａは、下方から見て被挟持部５０３に対して左右方向の両端に位置している領域であって、図中に点線で示すように前後方向の略中央部分が本体部５０１と重複している。つまり、第１保持領域４１Ａは、下方から見て端末収納ケース５００に重複している。換言すると、第１保持領域４１Ａとは、図１８に示すように薬指１４及び小指１５が前後方向に延びるように被挟持部３を左右方向に挟持しているとき、薬指１４及び小指１５が保持面４１と当接する領域である。
【００６３】
第２保持領域４１Ｂは、端末収納ケース５００の後方から見て、被挟持部５０３に対して前後方向の両端に位置している領域であって、本体部５０１とは重複しない位置に規定される。換言すると、第２保持領域４１Ｂとは、図１７に示すように薬指１４及び小指１５が左右方向に延びるように被挟持部３を前後方向から挟持しているとき、薬指１４及び小指１５が保持面４１と当接する領域の一部である。
【００６４】
このような構成によると、薬指１４及び小指１５が前後方向に延びた状態で被挟持部５０３を挟持したときには第１保持領域４１Ａが薬指１４及び小指１５と当接し、薬指１４及び小指１５が左右方向に延びた状態で被挟持部５０３を挟持したときには第２保持領域４１Ｂが薬指１４及び小指１５と当接するため、多様な方法で端末収納ケース５００を保持することができる。また、被挟持部５０３を挟持したときに薬指１４及び小指１５と保持部４とが当接するため、保持部４によって薬指１４及び小指１５が被挟持部５０３から抜け落ちることを防止することができる。これにより、端末収納ケース５００を落下させることなく保持することができる。さらに、被挟持部５０３が柔軟性を有しているため、様々な方向から被挟持部５０３を挟持しても、指に負担がかかることがなく、端末収納ケース５００を快適に保持することができる。
【００６５】
本発明による端末保持具及び端末収納ケースは、上述した実施の形態に限定されず、特許請求の範囲に記載された発明の要旨の範囲内で種々の変更が可能である。
【００６６】
上述の実施の形態では、保持部は略薄円形状であったが、これに限定されない。保持部は、第１保持領域及び第２保持領域が規定可能な形状であればよく、後方から見て、略矩形、略十字形、又は略三角形であってもよく、多角形であってもよい。
【００６７】
第６の実施の形態では、被挟持部５０３と保持部５０４は固定されていたが、これに限定されない。例えば、第３の実施の形態のように、被挟持部が保持部に対して着脱可能に設けられていてもよい。
【００６８】
第６の実施の形態では、第１の実施の形態の端末保持具１をベースとして構成されていたが、これに限定されない。例えば、第２乃至第５の実施の形態の被挟持部及び保持部の構成と端末収納ケースとを組み合わせてもよい。
【符号の説明】
【００６９】
１、１０１、２０１、３０１、４０１      端末保持具
２      固定部
２Ａ    固定面
３、１０３、２０３、３０３、４０３、５０３      被挟持部
４、２０４      保持部
１０    携帯端末
４１    保持面
４１Ａ  第１保持領域
４１Ｂ  第２保持領域
１００  端末収納ケース
１００ａ  貫通孔
１０３Ａ  第１被挟持部
１０３Ｂ  第２被挟持部
１０３ａ、２０３ａ、４０３ａ  指挿入空間
【図１】
2020072398.tif 000003
【図２】
2020072398.tif 000004
【図３】
2020072398.tif 000005
【図４】
2020072398.tif 000006
【図５】
2020072398.tif 000007
【図６】
2020072398.tif 000008
【図７】
2020072398.tif 000009
【図８】
2020072398.tif 000010
【図９】
2020072398.tif 000011
【図１０】
2020072398.tif 000012
【図１１】
2020072398.tif 000013
【図１２】
2020072398.tif 000014
【図１３】
2020072398.tif 000015
【図１４】
2020072398.tif 000016
【図１５】
2020072398.tif 000017
【図１６】
2020072398.tif 000018
【図１７】
2020072398.tif 000019
【図１８】
2020072398.tif 000020
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
携帯端末又は前記携帯端末を覆う端末収納ケースを保持するための端末保持具であって、
前記携帯端末又は前記端末収納ケースに固定される固定面を有する固定部と、
前記固定部から延出方向に延出し、柔軟性を有する素材で構成され、前記携帯端末又は前記端末収納ケースを保持したときに指の間に挟持される被挟持部と、
前記被挟持部の前記延出方向の端部に設けられ、前記延出方向に交差し前記被挟持部を挟持したときに前記指が当接する保持面を有する保持部と、を有し、
前記保持面は、前記延出方向から見て少なくとも一部が前記固定部と重複する第１保持領域と、前記延出方向から見て前記固定部と重複しない第２保持領域と、を有し、
前記第１保持領域は、前記指が第１方向に延びた状態で前記被挟持部を挟持したときに前記指と当接し、
前記第２保持領域は、前記指が前記第１方向と交差する第２方向に延びた状態で前記被挟持部を挟持したときに前記指と当接し、
前記被挟持部は、前記延出方向から見て、前記第１保持領域の間に位置するとともに前記第２保持領域の間に位置し、
前記被挟持部及び前記保持部は、前記固定面に直交する方向から見て、前記固定部とは重複しておらず、
前記被挟持部は、前記固定面と同一平面上に位置し、
前記保持面は、前記延出方向と直交する平面であって、
前記第１方向は、前記固定面に直交する方向であって、
前記第２方向は、前記第１方向及び前記延出方向に直交する方向であることを特徴とする端末保持具。
【請求項２】
前記被挟持部には、薬指又は小指が挿入される指挿入空間が規定され、
前記保持部は、前記被挟持部に対して着脱可能に設けられていることを特徴とする請求項１に記載の端末保持具。
【請求項３】
前記被挟持部はループ形状をなし、一端と他端とが前記固定部に接続されることによって前記指挿入空間が規定され、
前記一端と前記他端とは、前記固定面に直交する方向からみてずれていることを特徴とする請求項２に記載の端末保持具。
【請求項４】
携帯端末を保護するための端末収納ケースであって、
本体部と、
前記本体部から延出方向に延出し、前記本体部を保持した際に指の間に挟持される被挟持部と、
前記被挟持部の端部に設けられ、前記延出方向に交差し前記被挟持部を挟持したときに前記指が当接する保持面を有する保持部と、を有し、
前記保持面は、前記延出方向から見て前記本体部と重複する第１保持領域と、前記延出方向から見て前記本体部と重複しない第２保持領域と、を有し、
前記第１保持領域は、前記指が第１方向に延びた状態で前記被挟持部を挟持したときに前記指と当接し、
前記第２保持領域は、前記指が前記第１方向とは異なる第２方向に延びた状態で前記被挟持部を挟持したときに前記指と当接し、
前記被挟持部は、前記延出方向から見て、前記第１保持領域の間に位置するとともに前記第２保持領域の間に位置し、
前記被挟持部及び前記保持部は、前記携帯端末の表示部に直交する方向から見て、前記本体部とは重複していないことを特徴とする端末収納ケース。
【請求項５】
前記被挟持部は、紐形状であって、
前記本体部は、前記携帯端末を充電するための充電器が挿通される貫通孔が形成され、
前記被挟持部を前記貫通孔に挿通させてループを形成し、前記ループに前記保持部及び前記被挟持部を通すことにより、前記被挟持部を前記本体部に着脱可能に固定することを特徴とする請求項４に記載の端末収納ケース。
【手続補正２】
【補正対象書類名】明細書
【補正対象項目名】００１０
【補正方法】変更
【補正の内容】
【００１０】
上記課題を解決するために第１の発明は、携帯端末を保持するための端末保持具であって、前記携帯端末又は前記携帯端末を覆う端末収納ケースに固定される固定面を有する固定部と、前記固定部から延出方向に延出し、柔軟性を有する素材で構成され、前記携帯端末又は前記端末収納ケースを保持したときに指の間に挟持される被挟持部と、前記被挟持部の前記延出方向の端部に設けられ、前記延出方向に交差し前記被挟持部を挟持したときに前記指が当接する保持面を有する保持部と、を有し、前記保持面は、前記延出方向から見て少なくとも一部が前記固定部と重複する第１保持領域と、前記延出方向から見て前記固定部と重複しない第２保持領域と、を有し、前記第１保持領域は、前記指が第１方向に延びた状態で前記被挟持部を挟持したときに前記指と当接し、前記第２保持領域は、前記指が前記第１方向と交差する第２方向に延びた状態で前記被挟持部を挟持したときに前記指と当接し、前記被挟持部は、前記延出方向から見て、前記第１保持領域の間に位置するとともに前記第２保持領域の間に位置し、前記被挟持部及び前記保持部は、前記固定面に直交する方向から見て、前記固定部とは重複しておらず、前記被挟持部は、前記固定面と同一平面上に位置し、前記保持面は、前記延出方向と直交する平面であって、前記第１方向は、前記固定面に直交する方向であって、前記第２方向は、前記第１方向及び前記延出方向に直交する方向であることを特徴とする端末保持具を提供している。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
第４の発明では、携帯端末を保護するための端末収納ケースであって、本体部と、前記本体部から延出方向に延出し、前記本体部を保持した際に指の間に挟持される被挟持部と、前記被挟持部の端部に設けられ、前記延出方向に交差し前記被挟持部を挟持したときに前記指が当接する保持面を有する保持部と、を有し、前記保持面は、前記延出方向から見て前記本体部と重複する第１保持領域と、前記延出方向から見て前記本体部と重複しない第２保持領域と、を有し、前記第１保持領域は、前記指が第１方向に延びた状態で前記被挟持部を挟持したときに前記指と当接し、前記第２保持領域は、前記指が前記第１方向とは異なる第２方向に延びた状態で前記被挟持部を挟持したときに前記指と当接し、前記被挟持部は、前記延出方向から見て、前記第１保持領域の間に位置するとともに前記第２保持領域の間に位置し、前記被挟持部及び前記保持部は、前記携帯端末の表示部に直交する方向から見て、前記本体部とは重複していないことを特徴とする端末収納ケースを提供している。
【手続補正５】
【補正対象書類名】明細書
【補正対象項目名】００１５
【補正方法】変更
【補正の内容】
【００１５】
第５の発明は、第４の発明の端末収納ケースであって、前記被挟持部は、紐形状であって、前記本体部は、前記携帯端末を充電するための充電器が挿通される貫通孔が形成され、前記被挟持部を前記貫通孔に挿通させてループを形成し、前記ループに前記保持部及び前記被挟持部を通すことにより、前記被挟持部を前記本体部に着脱可能に固定することを特徴としている。
【手続補正６】
【補正対象書類名】明細書
【補正対象項目名】００１６
【補正方法】変更
【補正の内容】
【００１６】
第１の発明によると、指が第１方向に延びた状態で被挟持部を挟持したときには第１保持領域が指と当接し、指が第２方向に延びた状態で被挟持部を挟持したときには第２保持領域が指と当接するため、多様な方法で携帯端末又は端末収納ケースを保持することができる。また、被挟持部を挟持したときに指と保持部とが当接するため、保持部によって指が被挟持部から抜け落ちることを防止することができる。これにより、携帯端末又は端末収納ケースを落下させることなく保持することができる。さらに、被挟持部が柔軟性を有しているため、様々な方向から被挟持部を挟持しても、指に負担がかかることがなく、携帯端末又は端末収納ケースを快適に保持することができる。また、被挟持部及び保持部は固定面に直交する方向から見て固定部とは重複していないため、固定部が障害とならず携帯端末又は端末収納ケースの周縁端部に被挟持部及び保持部を配置することができる。これにより、従来の携帯端末装置保持具と比較して任意の位置に端末保持具を配置することができ、保持の自由度が高くなる。つまり、端末保持具を携帯端末又は端末収納ケースの周縁端部に配置することができ、例えば、被挟持部及び保持部を固定面に直交する方向から見て携帯端末とは重複しない位置であって、携帯端末から突出するように配置することができる。これにより、従来の携帯端末装置保持具と比較して保持の自由度が高くなる。さらに、被挟持部は第１保持領域及び第２保持領域の間に位置しているため、被挟持部を指で挟持することにより当該挟持した２本の指が保持面に当接することとなる。これにより、携帯端末又は端末収納ケースを落下させることなく保持することができる。また、固定面と被挟持部とは同一平面上に位置しているため、平面状の素材を切り抜くことにより固定部と被挟持部とを製造することができる。これにより、簡易に端末保持具を製造することができる。また、保持面は固定面と直交する平面であるため、指が保持面上においてあらゆる方向に指向したとしても携帯端末又は端末収納ケースを保持することができる。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
第４の発明によると、指が第１方向に延びた状態で被挟持部を挟持したときには第１保持領域が指と当接し、指が第２方向に延びた状態で被挟持部を挟持したときには第２保持領域が指と当接するため、多様な方法で端末収納ケースを保持することができる。また、被挟持部を挟持したときに指と保持部とが当接するため、保持部によって指が被挟持部から抜け落ちることを防止することができる。これにより、端末収納ケースを落下させることなく保持することができる。さらに、被挟持部が柔軟性を有しているため、様々な方向から被挟持部を挟持しても、指に負担がかかることがなく、端末収納ケースを快適に保持することができる。さらに、被挟持部は第１保持領域及び第２保持領域の間に位置しているため、被挟持部を指で挟持することにより当該挟持した２本の指が保持面に当接することとなる。これにより、携帯端末又は端末収納ケースを落下させることなく保持することができる。
【手続補正９】
【補正対象書類名】明細書
【補正対象項目名】００２２
【補正方法】変更
【補正の内容】
【００２２】
第５の発明によると、被挟持部が紐状であるため、簡易な構成で被挟持部及び保持部を製造することができる。